(57)【特許請求の範囲】
【請求項１】
シャーシの挿入口から挿入されたディスクを、当該ディスクの記録面と平行な回転軸を有する搬送ローラの回転により再生部のターンテーブルへ搬送すると共に前記再生部から前記挿入口へ排出するディスク再生装置の異物除去具であって、
前記異物除去具は、
前記ディスクと同様に前記挿入口から挿入されて前記搬送ローラにより搬送および排出される、たわみのある板状部材から成り、
前記ターンテーブルへ搬送完了した状態で前記ターンテーブルのセンタコーンより前記シャーシ奥側になる位置に、前記異物除去具の挿入方向において前記センタコーンの延長線と交差する切り込みを入れ、排出過程で前記センタコーンと異物との間に入り込み当該異物を前記センタコーンから引き剥がす切り込み縁部と、
前記搬送ローラの回転軸に平行な折り曲げ線に沿って、前記切り込み縁部が前記ターンテーブル側に接近するよう当該板状部材を折り曲げた曲げ部とを備えることを特徴とするディスク再生装置の異物除去具。
【請求項２】
前記異物除去具は、前記ターンテーブルへ搬送完了した状態で前記センタコーンに対向する位置に、前記センタコーンを取り囲む範囲に切り込みを入れた切り込み片を備え、排出過程で当該切り込み片と前記切り込み縁部とで前記異物を挟持することを特徴とする請求項１記載の異物除去具。
【請求項３】
前記異物除去具は、前記切り込み片の先端部が前記切り込み縁部を覆う形状であることを特徴とする請求項２記載の異物除去具。
【請求項４】
前記異物除去具は、前記切り込み縁部がテーパ形状であることを特徴とする請求項１から請求項３のうちのいずれか１項記載の異物除去具。
【請求項５】
前記異物除去具は、前記板状部材の挿入側であって前記搬送ローラと接する面に設けられた、前記シャーシ内の前記異物を接着する粘着部を備えることを特徴とする請求項１から請求項４のうちのいずれか１項記載の異物除去具。
【発明の詳細な説明】
【技術分野】
【０００１】
この発明は、ディスク再生装置内の異物を除去する異物除去具に関するものである。
【背景技術】
【０００２】
従来のディスク再生装置は、搬送ローラが回転してディスクを挿入口から再生部へ搬送し、また、搬送ローラが逆回転してディスクを再生部から挿入口へ搬送して排出する構成である。このディスク再生装置内にディスクより小さい異物（カード、コイン等）が入ると、搬送ローラから脱落して排出できなくなる。そこで、特許文献１に係るディスク搬送装置では、装置内に入った異物を搬送ローラまで搬送する補助搬送手段を設けて、搬送ローラに異物を再び載せて排出できるようにした。
【先行技術文献】
【特許文献】
【０００３】
【特許文献１】特開２００７−２０７３１２号公報
【発明の概要】
【発明が解決しようとする課題】
【０００４】
上記特許文献１のディスク搬送装置は以上のように構成されているので、異物が小さい場合、補助搬送手段の届かない位置に入ったり、補助搬送手段から搬送ローラへ届かず載せることができなかったりして、排出できない可能性があった。そのため、誤って挿入された異物により再生不良および動作不良を引き起こすという課題があった。
【０００５】
特に、ディスクケースのディスクセンタホール付近を押さえているクッションの一部である粘着性の丸型シートが、ディスクのセンタホールに接着した状態でディスク搬送装置内に挿入された場合、再生時にターンテーブルのセンタコーンにこの丸型シートが貼り付いてしまうことがあった。ターンテーブル上に異物が貼り付いていると、通常のディスク挿入時に正規位置にクランプできず再生できないという不具合が発生する可能性がある。また、その異物が剥がれ、ディスク搬送装置内に落下した場合、動作不良を引き起こす可能性もある。しかしながら、上記特許文献１のような従来の構成では、ターンテーブル上に貼り付いた異物を取り出すことができなかった。
【０００６】
この発明は、上記のような課題を解決するためになされたもので、ターンテーブル上の異物を除去する異物除去具を提供することを目的とする。
【課題を解決するための手段】
【０００７】
この発明に係るディスク再生装置の異物除去具は、ディスクと同様に挿入口から挿入されて搬送ローラにより搬送および排出される、たわみのある板状部材から成り、ターンテーブルへ搬送完了した状態でターンテーブルのセンタコーンよりシャーシ奥側になる位置に、異物除去具の挿入方向においてセンタコーンの延長線と交差する切り込みを入れ、排出過程でセンタコーンと異物との間に入り込み当該異物をセンタコーンから引き剥がす切り込み縁部と、搬送ローラの回転軸に平行な折り曲げ線に沿って、切り込み縁部がターンテーブル側に接近するよう当該板状部材を折り曲げた曲げ部とを備えるものである。
【発明の効果】
【０００８】
この発明によれば、ディスク再生装置の通常のディスク挿入動作により異物除去具がターンテーブル側へ搬送され、曲げ部が搬送ローラに到達すると異物除去具が傾いて切り込み縁部がターンテーブルに接近し、排出動作時にこの切り込み縁部がターンテーブルのセンタコーンと異物の間に入り込んで引き剥がすようにしたので、引き剥がした異物をそのまま異物除去具と共に装置外へ排出することができる。よって、ターンテーブル上の異物を除去することができる。
【図面の簡単な説明】
【０００９】
【図１】この発明の実施の形態１に係る異物除去具の構成を示し、図１（ａ）は平面図、図１（ｂ）はＡ−Ａ線に沿って切断した断面図である。
【図２】ディスク再生装置の内部構造の一例を示す側面図である。
【図３】実施の形態１に係る異物除去具を、ディスク再生装置に挿入したときの状態を示す側面図であり、曲げ部が搬送ローラを過ぎる前の状態を示す。
【図４】実施の形態１に係る異物除去具を、ディスク再生装置に挿入したときの状態を示す側面図であり、曲げ部が搬送ローラを過ぎた後の状態を示す。
【図５】実施の形態１に係る異物除去具の切り込み部周辺を拡大した図であり、切り込み部がターンテーブルに到達した状態を示す。
【図６】実施の形態１に係る異物除去具の切り込み部周辺を拡大した図であり、異物除去具を排出中の状態を示す。
【図７】実施の形態１に係る異物除去具の変形例を示し、図７（ａ）は平面図、図７（ｂ）はＡ’−Ａ’線に沿って切断した拡大断面図である。
【図８】実施の形態１に係る異物除去具の別の変形例を示す平面図である。
【図９】実施の形態１に係る異物除去具とディスク再生装置の別の変形例を示す平面図である。
【図１０】実施の形態１に係る異物除去具の別の変形例を示す平面図である。
【図１１】この発明の実施の形態２に係る異物除去具の構成を示し、図１１（ａ）は平面図、図１１（ｂ）はＡ’’−Ａ’’線に沿って切断した断面図である。
【図１２】実施の形態２に係る異物除去具を、ディスク再生装置に挿入したときの挿入口側から見た状態を示す図である。
【発明を実施するための形態】
【００１０】
実施の形態１．
図１に示すように、異物除去具１はたわむ材質の板状部材から成り、途中を折り曲げて曲げ部３が形成されている。また、円弧状に形成された先端側から曲げ部３までの間の所定の位置にコ字状の切り込み部２を形成して切り込み片２ａを設け、この切り込み片２ａの先端側に対向する縁を切り込み縁部２ｂとする。
たわむ材質の板状部材としては、ポリスチレン、ポリカーボネートなどを用いればよい。また、円弧の形状は、ＣＤ（Ｃｏｍｐａｃｔ  Ｄｉｓｃ）およびＤＶＤ（Ｄｉｇｉｔａｌ  Ｖｅｒｓａｔｉｌｅ  Ｄｉｓｃ）などの円弧形状と略同じとする。
【００１１】
図２は、従来のディスク再生装置１０の一例を示す側面図であり、シャーシ１１を切断して内部構造を示している。シャーシ１１に、ＣＤおよびＤＶＤなどのディスク２０を挿脱する挿入口１２が形成されている。また、このシャーシ１１の内部には搬送ローラ１３が回転自在に保持されており、この搬送ローラ１３が回転して、挿入口１２から挿入されたディスク２０を載せて再生部１５へ搬送する。再生部１５は、ディスク２０を回転させるターンテーブル１６の他、図示は省略するがディスク２０をターンテーブル１６上に保持するクランパ、ディスク２０の情報再生および情報記録を行う光ピックアップなどを備える。
【００１２】
ディスク２０の挿入時、シャーシ１１の天面内側に設けられたディスクガイド部品１４が、搬送ローラ１３との間にディスク２０を挟むようにしてガイドする。ディスク２０が再生位置まで搬送されると、不図示の駆動機構により搬送ローラ１３が下方の再生部１５側（図２に二点鎖線で示す搬送ローラ１３の位置）へ移動し、図２に二点鎖線で示すようにディスク２０のセンタホールがターンテーブル１６のセンタコーン１６ａに嵌まる。
ディスク２０を排出するときは、不図示の駆動機構により搬送ローラ１３がディスク２０を載せて上方のディスクガイド部品１４側へ移動し、搬送ローラ１３が逆回転してディスク２０を再生部１５から挿入口１２へ搬送し排出する。
【００１３】
先立って説明したように、ディスク２０がそのセンタホールを塞ぐ形状の丸型シールのような異物２１が貼り付いたままディスク再生装置１０に挿入されると、この異物２１がセンタコーン１６ａの上に貼り付くことがある。
異物２１とディスク２０のセンタホールとが略同じ大きさの場合、排出動作によりディスク２０が上方へ移動するときに異物２１がセンタホールを通り抜けてしまい、異物２１がセンタコーン１６ａに貼り付いたまま残ってしまうことがある。すると、この異物２１により、ディスク再生装置１０の再生不良および動作不良が起こる可能性がある。
そこで、異物除去具１を用いて異物２１を除去する。この異物除去具１は、円弧状の先端側から挿入口１２へ挿入される。
【００１４】
図３および図４は、異物除去具１をディスク再生装置１０に挿入したときの状態を示す側面図である。挿入口１２から挿入された異物除去具１は、曲げ部３が搬送ローラ１３に到達するまで、通常のディスク２０の挿入時と同じ軌跡で搬送される。異物除去具１は上面からディスクガイド部品１４に、下面から搬送ローラ１３に挟持されて搬送されるので、円弧状の先端側は再生部１５の上方を通ってシャーシ１１の奥側へ進む。
【００１５】
曲げ部３が搬送ローラ１３を過ぎると、この曲げ部３より後方部分が搬送ローラ１３とディスクガイド部品１４に挟持されるので異物除去具１の姿勢が変わり、図４に矢印Ｂで示すように、曲げ部３より前方部分が再生部１５の方向へ近づいてターンテーブル１６に接触する。そして、異物除去具１がシャーシ１１の奥側に到達して搬送動作が完了したとき、異物除去具１のたわみにより、曲げ部３より前方部分がターンテーブル１６に押し付けられた状態になっている。
【００１６】
この状態の切り込み部２の周辺の拡大図を、図５に示す。また、図６に、排出動作開始時の切り込み部２の周辺の拡大図を示す。図５および図６において、異物除去具１を、図１のＡ−Ａ線に沿って切断した断面で示す。また、シャーシ１１等の図示は省略している。
異物除去具１の搬送動作が完了すると、異物除去具１がたわんで先端側が再生部１５に押し付けられた状態となり、一方、切り込み片２ａはセンタコーン１６ａの上に貼り付いた異物２１に載った状態となる。従って、図５に示すように、切り込み片２ａと切り込み縁部２ｂの間に隙間が開く。
【００１７】
なお、図４〜図６に示すように、切り込み部２は、搬送動作が完了したときにターンテーブル１６のセンタコーン１６ａを取り囲む位置にコ字状に形成されている。切り込み片２ａは、搬送動作が完了したときにターンテーブル１６のセンタコーン１６ａと対向する位置であって、切り込み部２の内側に形成されている。また、切り込み縁部２ｂは、切り込み部２のうち、センタコーン１６ａよりシャーシ１１の奥側になる位置の切り込み線の縁部であり、この切り込み線は、異物除去具１の挿入方向においてセンタコーン１６ａの延長線と交差している。
【００１８】
図５に示す状態から通常のディスク排出動作により、搬送ローラ１３が異物除去具１を排出方向（図６の矢印Ｃの方向）へ搬送し、挿入口１２から排出する。すると、図６に示すように、開いていた隙間に異物２１の端部が入り込み、また、異物２１とセンタコーン１６ａの間に切り込み縁部２ｂが入り込む。異物除去具１がさらに排出方向へ進むと、切り込み縁部２ｂが異物２１をセンタコーン１６ａから引き剥がし、開いていた隙間が閉じて切り込み片２ａと切り込み縁部２ｂとで異物２１を挟持する。よって、異物２１は、切り込み片２ａと切り込み縁部２ｂに挟持された状態で、異物除去具１と共にディスク再生装置１０から排出される。
【００１９】
以上より、実施の形態１によれば、異物除去具１は、ディスク２０と同様にディスク再生装置１０の挿入口１２から挿入されて搬送ローラ１３により搬送および排出される、たわみのある板状部材から成り、ターンテーブル１６へ搬送完了した状態でセンタコーン１６ａに対向する位置に形成されたコ字状の切り込み部２と、排出過程でセンタコーン１６ａと異物２１との間に入り込みこの異物２１をセンタコーン１６ａから引き剥がす切り込み縁部２ｂと、切り込み部２に囲まれた形状であって切り込み縁部２ｂとで異物２１を挟持する切り込み片２ａと、搬送ローラ１３の回転軸に平行な折り曲げ線に沿って、切り込み縁部２ｂがターンテーブル１６側に接近するようこの板状部材を折り曲げた曲げ部３とを備えるように構成した。このため、通常のディスク挿入動作時に曲げ部３が搬送ローラ１３に到達すると異物除去具１が傾いて切り込み部２がターンテーブル１６に接近し、排出動作時にこの切り込み縁部２ｂがセンタコーン１６ａと異物２１の間に入り込んで引き剥がし、切り込み片２ａと切り込み縁部２ｂとで異物２１を挟み込んで異物除去具１と共に装置外へ排出することができる。
【００２０】
なお、切り込み部２の形状はコ字状に限定されるものではなく、Ｖ字状、半円状等、任意の形状に構成してもよい。
また、図７（ａ）および図７（ｂ）に示す異物除去具１の変形例のように、切り込み片２ａの先端を延ばして（または別体の切り込み片２ａを取り付けて）、切り込み片２ａの先端部が切り込み縁部２ｂを覆う形状にしてもよい。この構成の場合、異物２１をより確実に挟持することができる。
また、切り込み縁部２ｂを、図７（ｂ）に示すようなテーパ形状にして、異物２１とセンタコーン１６ａの間に入り込みやすい形状にしてもよい。図７（ｂ）以外にも、例えば切り込み部２の切り込みを斜めに入れて、切り込み片２ａと切り込み縁部２ｂとを相互にテーパ形状にしてもよい。
【００２１】
あるいは、切り込み部２の内側に切り込み片２ａを形成せず、図８に示す異物除去具１の変形例のように単なる開口を形成してもよい。この構成の場合には、ディスク再生装置１０の通常のディスク挿入動作により異物除去具１がターンテーブル１６側へ搬送され曲げ部３が搬送ローラ１３に到達すると異物除去具１が傾いて切り込み縁部２ｂがターンテーブル１６に接近し、排出動作時にこの切り込み縁部２ｂがセンタコーン１６ａと異物２１の間に入り込んで引き剥がす。このとき、異物２１の粘着力により、異物２１が切り込み縁部２ｂに貼り付くので、そのまま異物除去具１と共に装置外へ排出することができる。
【００２２】
また、図１〜図８の例では、異物除去具１の挿入側をディスク２０と同じ略円弧状に形成することにより、ディスク再生装置１０の構造に関係なく異物除去具１を使用可能にして汎用性を高めたが、円弧状に限定されるものではなく、ディスク再生装置１０の構造に合わせて変形可能である。以下、変形例を説明する。
図９は、ディスク再生装置１０と異物除去具１の変形例を示す平面図である。なお、図９ではシャーシ１１の図示を省略している。再生部１５の挿入口１２側には、ディスク２０の挿入を検知する挿入検知レバー１７が一対設けられている。これら挿入検知レバー１７は、軸１７ａを中心に回動自在に取り付けられており、ディスク２０の円弧状の縁部に沿って矢印Ｄの左右方向へ開いてディスク２０を挿入可能にする。
この構造の場合、図１に示す先端円弧状の異物除去具１であれば、ディスク２０と同じように一対の挿入検知レバー１７を押し広げて挿入できる。
また、図９に示す異物除去具１のように、円弧部分に、一対の挿入検知レバー１７の幅より狭い凸部４を形成してもよい。凸部４があっても、その両端の円弧部分で挿入検知レバー１７を押し広げて挿入できる。
【００２３】
また、図９に示すディスク再生装置１０のように、再生部１５の奥側に、ディスク２０の搬送を止めるストッパ１８が突設されている場合、図１および図９に示す異物除去具１のように先端側がディスク２０と略同じ円弧形状になっていれば、その円弧部分でストッパ１８に当接することができる。よって、異物除去具１を挿入しても、ディスク再生装置１０に通常のディスク挿入動作を行わせることができる。
【００２４】
また、挿入検知レバー１７は無く、ストッパ１８があるディスク再生装置１０に対しては、図１０に示す異物除去具１の変形例のように、先端側の一方の角部を円弧形状にし、もう一方の角部はそのまま残して左右非対称に形成してもよい。この構成の場合、ディスク再生装置１０に通常のディスク挿入動作を行わせることができる。
また、挿入検知レバー１７、ストッパ１８といった障害物が無ければ、異物除去具１の先端側の両角部をそのまま残して長方形にしてもよい（不図示）。
【００２５】
また、挿入検知レバー１７およびストッパ１８の代わりに光センサを用いてディスク２０を検知する構造のディスク再生装置１０に対しては、遮光性の板状部材（例えば、黒色の板状部材）で異物除去具１を構成すればよい。これにより、異物除去具１が光センサの光を遮断して、ディスク再生装置１０に通常のディスク挿入動作を行わせることができる。
【００２６】
実施の形態２．
図１１（ａ）は、この発明の実施の形態２に係る異物除去具１の構成を示す平面図であり、図１１（ｂ）はＡ’’−Ａ’’線に沿って切断した断面図である。
本実施の形態２に係る異物除去具１は、円弧状に形成された先端側の片面が粘着部５になっている。この粘着部５に、図２に示すディスク再生装置１０の奥側にある異物２２を接着させ、ディスク再生装置１０の外へ排出する。
【００２７】
図１２は、異物除去具１をディスク再生装置１０に挿入したときの挿入口１２側から見た状態を示す図である。この異物除去具１は、図１１に示すＥ−Ｅ線の位置で切断された断面を示している。また、図１２ではシャーシ１１等の図示を省略している。挿入口１２から挿入された異物除去具１は、搬送ローラ１３に載って再生部１５へ搬送される。搬送ローラ１３は、軸１３ａの中心部から両端部に向かうにつれて拡径するテーパ形状１３ｂであるため、異物除去具１と搬送ローラ１３とはエッジで接触する。そのため、粘着部５は搬送ローラ１３に貼り付くことなく、シャーシ１１の内部へ搬送される。
なお、異物２２を接着するための面積は小さくなるが、粘着部５を異物除去具１より一回り小さくして、異物除去具１と搬送ローラ１３とをエッジ接触させ貼り付きを防止してもよい。
【００２８】
本実施の形態２に係る異物除去具１は、上記実施の形態１と同様に挿入口１２から挿入され、曲げ部３が搬送ローラ１３に到達するまで、通常のディスク２０の挿入時と同じ軌跡で搬送される。異物除去具１は上面からディスクガイド部品１４に、下面から搬送ローラ１３に挟持されて搬送されるので、粘着部５が再生部１５に接触することなくシャーシ１１の奥側へ進む。
【００２９】
曲げ部３が搬送ローラ１３を過ぎると、この曲げ部３より後方部分が搬送ローラ１３とディスクガイド部品１４に挟持されるので異物除去具１の姿勢が変わり、図４に矢印Ｂで示したように、曲げ部３より前方部分が再生部１５の方向へ近づいて先端の粘着部５を再生部１５の面上の異物２２に押し付け、接着する。また、異物除去具１がたわむことで、粘着部５と異物２２の接触面積が増え、接着し易くなる。なお、異物除去具１の姿勢が変わったときにターンテーブル１６や光ピックアップ１９（図９）等の部品に接着しないように、曲げ部３から粘着部５までの距離を、搬送ローラ１３からターンテーブル１６までの距離、または搬送ローラ１３から光ピックアップ１９までの距離の内、より長い方の距離より長くしておくことが望ましい。これにより、粘着部５がターンテーブル１６、および光ピックアップ１９を通り過ぎた位置で、曲げ部３が搬送ローラ１３に載って姿勢が変わり、粘着部５が再生部１５の面上に接触するようになる。
その後、通常のディスク排出動作により、搬送ローラ１３が異物除去具１と異物２２とを一緒に搬送し、挿入口１２から排出する。
【００３０】
以上より、実施の形態２によれば、異物除去具１は、板状部材の、挿入口１２へ挿入される側であって搬送ローラ１３と接する面に設けられた、シャーシ１１内の異物２２を接着する粘着部５を備えるように構成した。このため、ディスク再生装置１０の通常のディスク搬送動作および排出動作により、センタコーン１６ａの上に貼り付いた異物２１だけでなく、シャーシ１１の奥に入った異物２２も除去することができる。
【００３１】
なお、本発明は、その発明の範囲内において、各実施の形態を自由に組み合わせたり、各実施の形態を適宜、変形、省略することが可能である。
【符号の説明】
【００３２】
１  異物除去具、２  切り込み部、２ａ  切り込み片、２ｂ  切り込み縁部、３  曲げ部、４  凸部、５  粘着部、１０  ディスク再生装置、１１  シャーシ、１２  挿入口、１３  搬送ローラ、１３ａ  軸、１３ｂ  テーパ形状、１４  ディスクガイド部品、１５  再生部、１６  ターンテーブル、１６ａ  センタコーン、１７  挿入検知レバー、１７ａ  軸、１８  ストッパ、１９  光ピックアップ、２０  ディスク、２１，２２  異物。
【図１】
0005734214.tif 000002
【図２】
0005734214.tif 000003
【図３】
0005734214.tif 000004
【図４】
0005734214.tif 000005
【図５】
0005734214.tif 000006
【図６】
0005734214.tif 000007
【図７】
0005734214.tif 000008
【図８】
0005734214.tif 000009
【図９】
0005734214.tif 000010
【図１０】
0005734214.tif 000011
【図１１】
0005734214.tif 000012
【図１２】
0005734214.tif 000013